(57)【特許請求の範囲】
【請求項１】
背板と底板とを備える配置台にバッテリを押圧固定するバッテリ固定金具において、
各端部が前記背板と前記底板とに各々固定されるＬ字形状であり、
一方の前記端部は、前記底板に設けられた切り欠き部に対応するフックを備え、
最大収縮した場合に内壁から突出しないように収納されて前記バッテリを押圧するバネ部材を前記内壁に備える
ことを特徴とするバッテリ固定金具。
【請求項２】
請求項１に記載のバッテリ固定金具において、
他方の前記端部は、前記背板にネジ止め固定されるネジ穴を備える
ことを特徴とするバッテリ固定金具。
【請求項３】
請求項１または請求項２に記載のバッテリ固定金具において、
前記他方の端部は、前記背板に設けられた切り欠き孔に挿入される凸部を備える
ことを特徴とするバッテリ固定金具。
【請求項４】
請求項１乃至請求項３のいずれか一項に記載のバッテリ固定金具において、
前記バネ部材として、前記バッテリの上面を前記底板方向に押圧する第一バネ部材を備える
ことを特徴とするバッテリ固定金具。
【請求項５】
請求項１乃至請求項４のいずれか一項に記載のバッテリ固定金具において、
前記バネ部材として、前記バッテリの側面を前記背板方向に押圧する第二バネ部材を備える
ことを特徴とするバッテリ固定金具。
【請求項６】
請求項５に記載のバッテリ固定金具において、
前記バッテリの上端と下端との二か所において前記バッテリの側面を前記背板方向に押圧する二つの前記第二バネ部材を、前記バッテリの側面に対応する一辺に備える
ことを特徴とするバッテリ固定金具。
【請求項７】
請求項４乃至請求項６のいずれか一項に記載のバッテリ固定金具において、
バネが最大収縮した場合に前記バネ部材を内壁内に収納可能なバネ部材収納切り欠き部を備える
ことを特徴とするバッテリ固定金具。
【請求項８】
請求項１乃至請求項７のいずれか一項に記載のバッテリ固定金具を用いたバッテリの固定方法において、
前記バッテリは複数のバッテリからなるバッテリ群であり、
前記上面と前記側面とに露出する前記バッテリ群を構成する各バッテリに対して、露出した各面において各々少なくとも一か所で押圧固定するように、一以上のバッテリ固定金具を配置する
ことを特徴とするバッテリの固定方法。
【請求項９】
請求項１乃至請求項７のいずれか一項に記載のバッテリ固定金具を用いたバッテリの固定方法において、
前記バッテリを前記背板と前記底板とを備える前記コーナーに載置する工程と、
一方の前記端部に備えられたフックを、前記底板に設けられた前記切り欠き部に嵌め込む工程と、
前記バッテリを覆うように、前記フックを中心に前記バッテリ固定金具を枢動させる工程と、
前記バッテリを押圧した状態で、他方の端部を前記背板に固定する工程と、を有する
ことを特徴とするバッテリの固定方法。
【請求項１０】
請求項９に記載のバッテリの固定方法において、
固定された状態の前記バッテリの側面と前記バッテリ固定金具との間隙が、固定された状態の前記バッテリの上面と前記バッテリ固定金具との間隙よりも大きい
ことを特徴とするバッテリの固定方法。
【請求項１１】
請求項１乃至請求項７のいずれか一項に記載のバッテリ固定金具を備える
ことを特徴とする電子装置。
【発明の詳細な説明】
【技術分野】
【０００１】
本発明は、バッテリ固定金具とそれを備える電子装置とバッテリの固定方法とに関する。
【背景技術】
【０００２】
従来、電子装置等にバッテリを搭載する場合には、例えば略Ｌ字型または略Ｉ字型等の固定金具を用いて、ネジ止めにより締結していた。このような固定金具を用いてバッテリをネジ止めする場合には、水平方向へのネジ止め箇所と、垂直方向へのネジ止め箇所と、の２箇所において互いに異なる方向へのネジ止め作業を遂行することとなっていた。
【０００３】
図７は従来のバッテリ取り付け方法にかかる電子装置を説明する図であり、図８は従来の筐体に取り付けられた状態のバッテリとバッテリ固定金具とを説明する斜視図である。
【０００４】
図７及び図８において、複数のバッテリ７３００を固定するバッテリ固定金具７１００は、底板へのネジ止めと背板へのネジ止めとにより固定されている。このため、底板及び背板へのネジ止め作業を各々遂行するための垂直方向、水平方向のネジ止めスペースが必要となる。図７及び図８から理解されるようにこのようなネジ止めスペースには、ネジ止め作業の障害となるような電子部品や部材等を配置することができない。
【０００５】
特に垂直方向すなわちバッテリの上方には、小型化の観点から複数の電子部品等が配置されることが好ましい場合も少なくないが、上述したようにネジ止めスペースを確保するために空間的な制約を受けることとなる。このようなバッテリの固定金具や固定方法は、例えば下記特許文献１及び下記特許文献２に開示されている。
【先行技術文献】
【特許文献】
【０００６】
【特許文献１】特開平０６−１０７０９０号公報
【特許文献２】特開平０８−０３４３０１号公報
【発明の概要】
【発明が解決しようとする課題】
【０００７】
従来のバッテリ固定金具においては、少なくとも２箇所において互いに異なる方向におけるネジ止め作業をする必要があったため、ネジ止め作業スペースに余裕がないような狭い装置内等において、バッテリ取り付け作業が困難となる場面が生じていた。
【０００８】
本発明は、上述した問題点に鑑み為されたものであり、狭い作業スペースでのバッテリ取り付け作業を容易にすることが可能なバッテリ固定金具等を提供することを目的とする。
【課題を解決するための手段】
【０００９】
本発明のバッテリ固定金具は、背板と底板とを備える配置台にバッテリを押圧固定するバッテリ固定金具において、各端部が背板と底板とに各々固定されるＬ字形状であり、一方の端部は、底板に設けられた切り欠き部に対応するフックを備えることを特徴とする。
【００１０】
本発明のバッテリ固定金具は、好ましくは他方の端部が、背板にネジ止め固定されるネジ穴を備えることを特徴とする。
【００１１】
本発明のバッテリ固定金具は、さらに好ましくは他方の端部が、背板に設けられた切り欠き孔に挿入される凸部を備えることを特徴とする。
【００１２】
本発明のバッテリ固定金具は、さらに好ましくはバッテリの上面を底板方向に押圧する第一バネ部材を備えることを特徴とする。
【００１３】
本発明のバッテリ固定金具は、さらに好ましくはバッテリの側面を背板方向に押圧する第二バネ部材を備えることを特徴とする。
【００１４】
本発明のバッテリ固定金具は、さらに好ましくはバッテリの上端と下端との二か所においてバッテリの側面を背板方向に押圧する二つの第二バネ部材を、バッテリの側面に対応する一辺に備えることを特徴とする。
【００１５】
本発明のバッテリ固定金具は、さらに好ましくはバネが最大収縮した場合にバネ部材が内壁から突出しないように、バネ部材を収納可能なバネ部材収納切り欠き部を備えることを特徴とする。
【００１６】
本発明のバッテリの固定方法は、上述のいずれかに記載のバッテリ固定金具を用いたバッテリの固定方法において、バッテリは複数のバッテリからなるバッテリ群であり、上面と側面とに露出するバッテリ群を構成する各バッテリに対して、露出した各面において各々少なくとも一か所で押圧固定するように、一以上のバッテリ固定金具を配置することを特徴とする。
【００１７】
本発明のバッテリの固定方法は、上述のいずれかに記載のバッテリ固定金具を用いたバッテリの固定方法において、バッテリを背板と底板とを備えるコーナーに載置する工程と、一方の端部に備えられたフックを、底板に設けられた切り欠き部に嵌め込む工程と、バッテリを覆うように、フックを中心にバッテリ固定金具を枢動させる工程と、バッテリを押圧した状態で、他方の端部を背板に固定する工程と、を有することを特徴とする。
【００１８】
本発明のバッテリの固定方法は、好ましくは固定された状態のバッテリの側面とバッテリ固定金具との間隙が、固定された状態のバッテリの上面とバッテリ固定金具との間隙よりも大きいことを特徴とする。
【００１９】
本発明の電子装置は、上述のいずれかに記載のバッテリ固定金具を備えることを特徴とする。
【発明の効果】
【００２０】
本発明により、狭い作業スペースでのバッテリ取り付け作業を容易にすることが可能なバッテリ固定金具等を提供できる。
【図面の簡単な説明】
【００２１】
【図１】実施形態のバッテリ固定金具がバッテリを固定する状態を説明する図である。
【図２】背板と底板とからなるバッテリ配置台を説明する図である。
【図３】バッテリ固定金具を説明する概念図である。
【図４】バッテリ固定金具を用いてバッテリを固定する手順を順次説明する概要図である。
【図５】バッテリ固定金具を用いたバッテリの取り付け作業工程を説明するフローチャートである。
【図６】バッテリ固定金具を取り外す動作を説明するフローチャートである。
【図７】従来のバッテリ取り付け方法にかかる電子装置を説明する図である。
【図８】従来の筐体に取り付けられた状態のバッテリとバッテリ固定金具とを説明する斜視図である。
【発明を実施するための形態】
【００２２】
実施形態で説明するバッテリ固定金具は、狭い設置作業スペースしかないような配置条件においても、良好な作業性を有して簡単かつ迅速にバッテリ取り付け作業を遂行できるものである。
【００２３】
実施形態で説明するＬ字形状のバッテリ固定金具は、底板に固定される一端がフック形状であるので、底板の切り欠き部に嵌め込むだけでよい。また、背板に固定される他端は、背板の切り欠き孔に挿入される凸部を備える。
【００２４】
このため、背板の切り欠き孔に凸部を挿入した仮固定状態で、すなわちバッテリの側面と上面とがバッテリ固定金具の内壁のバネ部材に押圧された仮固定状態において、背板に当該他端をネジ止めする作業を容易に遂行することができる。
【００２５】
また、バネ部材は、これが最大に収縮した場合に、バッテリ固定金具の内壁内に完全に収納される。すなわち、バッテリ固定金具は、その内壁にバネ部材の形状に対応するバネ部材収納切り欠き部を備える。このため、バッテリが許容される膨張可能な最大の寸法は、バッテリ固定金具の内壁寸法で規定されることとなるので、バネ部材の容積を別途に考慮する必要がなくバッテリがバッテリ固定金具内壁に当接するまで膨張可能である一方、バッテリ固定金具の小型化が可能である。
【００２６】
（実施形態）
図１は、実施形態のバッテリ固定金具１００がバッテリ３００を固定する状態を説明する図である。図１（ａ）はバッテリ固定金具１００がバッテリ３００を固定する状態を説明する側面図であり、図１（ｂ）はバッテリ固定金具１００がバッテリ３００を固定する状態を説明する正面図であり、図１（ｃ）はバッテリ固定金具１００がバッテリ３００を固定する状態を説明する平面図である。
【００２７】
図１に示すように、四つのバッテリ３００（１），３００（２），３００（３），３００（４）（以下、適宜バッテリ３００と総称する）は、二つのバッテリ固定金具１００（１），１００（２）（以下、適宜バッテリ固定金具１００と総称する）で固定されている。バッテリ固定金具１００（１），１００（２）は略Ｌ字型であって、バッテリ固定金具１００（１）の内壁すなわちバッテリ３００（１），３００（２）と当接する側に、バネ部材１３０（１），１３０（２），１３０（３），１３０（４）を備える。
【００２８】
同様に、バッテリ固定金具１００（２）の内壁すなわちバッテリ３００（３），３００（４）と当接する側に、バネ部材１３０（５），１３０（６），１３０（７），１３０（８）（以下、適宜バネ部材１３０（１）乃至バネ部材１３０（８）をバネ部材１３０と総称する）を備える。
【００２９】
バネ部材１３０（１），１３０（２），１３０（３），１３０（４）は、バッテリ３００（１），３００（２）を押圧状態で固定するとともに、仮にバッテリ３００（１），３００（２）が膨張または収縮した場合でも、バネ部材１３０の伸縮により、所定の範囲内で押圧固定状態を安定的に保つ。
【００３０】
同様に、バネ部材１３０（５），１３０（６），１３０（７），１３０（８）は、バッテリ３００（３），３００（４）を押圧状態で固定するとともに、仮にバッテリ３００（３），３００（４）が膨張または収縮した場合でも、バネ部材１３０の伸縮により、所定の範囲内で押圧固定状態を安定的に保つ。
【００３１】
バッテリ固定金具１００（１）は、底板２０２に係合されるフック１２０（１）をその一端に備える。また、バッテリ固定金具１００（１）は、背板２０１に挿入される凸部１１０（１）を他端に備える。さらにバッテリ固定金具１００（１）の他端は、背板２０１にネジ止めされるためのネジ穴１４０（１）を備える。
【００３２】
同様に、バッテリ固定金具１００（２）は、底板２０２に係合されるフック１２０（２）をその一端に備える。また、バッテリ固定金具１００（２）は、背板２０１に挿入される凸部１１０（２）を他端に備える。さらにバッテリ固定金具１００（２）の他端は、背板２０１にネジ止めされるためのネジ穴１４０（２）を備える。
【００３３】
背板２０１と底板２０２とは、共に電子装置の筐体であってもよいし、共にバッテリ３００を載置するための専用トレイであってもよいし、いずれか一方が電子装置の筐体または専用トレイ等であってもよい。すなわち、バッテリ配置台は、専用トレイまたは筐体の一部等を利用してバッテリが配置可能に形成された配置位置を意味するものとする。
【００３４】
図１に示すように、バッテリ３００は上面側と側面側とにおいて露出した各バッテリの個々の各面が、少なくとも一か所でバネ部材１３０により押圧固定される。これにより、複数のバッテリから構成されるバッテリ３００が、安定かつ強固に固定されることとなる。
【００３５】
特に、バッテリ３００の一個あたりの露出面積が比較的大きな側面においては、長手方向に二か所（バッテリ３００（２）の側面に対するバネ部材１３０（３）とバネ部材１３０（４）、バッテリ３００（４）の側面に対するバネ部材１３０（７）とバネ部材１３０（８））以上で押圧することが好ましい。
【００３６】
また、図１から理解されるように、例えばバネ部材１３０（３）がバッテリ３００（２）の側面の上端を押圧し、バネ部材１３０（４）がバッテリ３００（２）の側面の下端を押圧するように、離隔した二つの端部で露出した一面を押圧固定することが安定した固定をする上で好ましい。
【００３７】
さらに、バッテリ３００一個あたりの露出面積が比較的小さな上面においては、バッテリ３００（１）〜３００（４）の露出した各上面の中央部分において一箇所ずつ、バネ部材１３０が押圧する構成とすることが好ましい。また、バッテリ３００は一般に側面側への膨張が上面側への膨張よりも大きいので、バッテリ３００とバッテリ固定金具１００との間の間隙（すなわち図１におけるバネ部材１３０が占める伸縮方向の幅）は、側面側のほうが上面側よりも大きくすることが好ましい。
【００３８】
バネ部材１３０は、バッテリ固定金具１００と一体的に設けることが好ましく、典型的にはバッテリ固定金具１００本体フレームの一部をくり抜いて形成する。これにより、くり抜かれた跡がバネ部材収納切り欠き部（不図示）となり、バネ部材１３０が最大限収縮した場合には、バネ部材収納切り欠き部内へとバネ部材１３０が完全収納されるので、バッテリ固定金具１００の内壁から突出することがない。このため、バッテリ３００の膨張許容範囲が増大することとなり、換言すればバネ部材１３０の配置空間を別途に考慮する必要がなく、一方でバッテリ固定金具１００を小型軽量化することが可能となる。
【００３９】
図２は、背板２０１と底板２０２とからなるバッテリ配置台２００を説明する図である。図２（ａ）はバッテリ配置台２００の側面図であり、図２（ｂ）はバッテリ配置台２００の正面図であり、図２（ｃ）はバッテリ配置台２００の平面図である。
【００４０】
図２に示すように、バッテリ配置台２００の背板２０１には、バッテリ固定金具１００の一端に設けられた凸部１１０が挿通される切り欠き孔２１０（１），２１０（２），２１０（３），２１０（４）（以下、適宜切り欠き孔２１０と総称する）が設けられている。
【００４１】
また、バッテリ配置台２００の底板２０２には、バッテリ固定金具１００の他端に設けられたフック１２０が係合される切り欠き部２２０（１），２２０（２），２２０（３），２２０（４）（以下、適宜切り欠き部２２０と総称する）が設けられている。
【００４２】
また、バッテリ配置台２００の背板２０１には、バッテリ固定金具１００の一端に設けられたネジ穴１４０と合致してネジ止め固定するためのネジ穴２４０（１），２４０（２）が備えられている。
【００４３】
図２においてバッテリ配置台２００は、二つのバッテリ固定金具１００を用いて複数のバッテリ３００を固定することが可能な構造を有するものとして説明したが、バッテリ３００の個数に対応する任意の個数のバッテリ固定金具１００に対応する構造としてもよい。
【００４４】
また、図２においてはバッテリ配置台２００を独立した一つの部材として説明したが、バッテリ３００を搭載しバッテリ固定金具１００の一端及び他端を各々固定または係合することが可能な背板２０１と底板２０２を有する筐体であれば、取り付け可能である。例えば、バッテリ配置台はトレイ形状の底板２０２のみとしてこれを筐体に固定し、背板２０１は筐体のバックボードを用いることとし、トレイ形状の底板と筐体の背板とによりバッテリ配置台を構成することもできる。
【００４５】
図３は、バッテリ固定金具１００を説明する概念図である。図３（ａ）がバッテリ固定金具１００の側面図であり、図３（ｂ）がバッテリ固定金具１００の正面図であり、図３（ｃ）がバッテリ固定金具１００の平面図である。
【００４６】
また、図４は、バッテリ固定金具１００を用いてバッテリ３００を固定する手順を順次説明する概要図である。図４（ａ）がバッテリ固定金具１００を底板２０２に係合させる状態を説明する図であり、図４（ｂ）がバッテリ固定金具１００をフック１２０を支点として枢動させる状態を説明する図であり、図４（ｃ）がバッテリ固定金具１００の凸部１１０を背板２０１に挿通させた状態を説明する図である。
【００４７】
図４（ｃ）で説明する状態においては、バッテリ固定金具１００がバッテリ３００を押圧している状態である。この状態では、フック１２０と凸部１１０とにおいて、各々底板２０２の切り欠き部２２０と背板２０１の切り欠き孔２１０とで支持されることとなるので、バッテリ３００からの反作用の押圧力があるにも拘わらず、バッテリ固定金具１００が仮固定された状態となる。
【００４８】
従って、バッテリ固定金具１００に対して別途支持する必要（例えば手で支える等）が殆どなく、背板２０１へのネジ止め作業を極めて容易に遂行することができる。なお、図４においては、バッテリ固定金具１００のネジ穴１４０と、背板２０１のネジ穴２４０とは記載を省略している。
【００４９】
図５は、バッテリ固定金具１００を用いたバッテリ３００の取り付け作業工程を説明するフローチャートである。以下、図５に示す各ステップに基づいて、適宜図３乃至図４を参照しながらバッテリ３００の取り付け作業工程について順次説明する。
【００５０】
（ステップＳ５１０）
バッテリ３００を電子装置等のバッテリ配置ポジションに配置する。典型的には、上述したバッテリ配置台２００を用いて電子装置の筐体内にバッテリ配置ポジションを形成することができる。また、バッテリ３００が複数のバッテリからなるバッテリ群である場合には、安定的に固定されるようにバッテリ固定金具１００に対応させて適宜組み合わせて配置する。
【００５１】
（ステップＳ５２０）
バッテリ固定金具１００の一端のフック１２０を底板２０２の切り欠き部２２０に係合させる。バッテリ固定金具１００は、ネジ止めではなくフック１２０により底板２０２に係合されるので、作業性が向上するだけでなく迅速かつ省スペースとできる。
【００５２】
（ステップＳ５３０）
フック１２０を支点としてバッテリ固定金具１００を枢動させて、バッテリ固定金具１００の他端を背板２０１の方へと近づける。バッテリ固定金具１００の他端が背板２０１に近づくのに伴いバネ部材１３０がバッテリ３００に接触すると、バネ部材１３０が収縮されて弾性力を発揮する。
【００５３】
（ステップＳ５４０）
バッテリ固定金具１００の凸部１１０を背板２０１の切り欠き孔２１０へと挿入する。この場合に、バネ部材１３０の弾性力に抗する力でバッテリ固定金具１００を押圧しながら、切り欠き孔２１０へと挿入することとなる。しかし、この押圧及び挿入作業は比較的短い時間で為される作業であるので、極めて容易に遂行されることとなる。
【００５４】
（ステップＳ５５０）
バッテリ固定金具１００を背板２０１にネジ止めする。この場合に、ステップＳ５４０の挿入作業により、バッテリ固定金具１００のネジ穴１４０と、背板２０１のネジ穴２４０とが合致しており仮固定状態とされているので、ネジ止めによる本固定作業が容易となる。さらに、このステップＳ５５０におけるネジ止め作業は、装置筐体の正面側からの作業となる。このため、高さ方向の作業スペースが実質的に不要であり、極めて良好な作業を作業者の手前側から遂行できることとなる。
【００５５】
また、図６は、バッテリ固定金具１００を取り外す動作を説明するフローチャートである。
【００５６】
（ステップＳ６１０）
バッテリ固定金具１００の上端部における背板２０１へのネジ止めを外す。この作業は、装置筐体における正面側からの動作となるので、バッテリ３００の上方に存在する部材等の有無に拘わらずオープンスペースが比較的大きくとれることとなり、作業性が良好である。
【００５７】
（ステップＳ６２０）
バッテリ固定金具１００の下端部を中心に枢動させて、凸部１１０を切り欠き孔２１０から脱抜し、バッテリ３００とバネ部材１３０との接触を解放する。これにより、バッテリ３００への押圧力は解除されて、バッテリ３００が自然状態で載置されている状態となる。
【００５８】
（ステップＳ６３０）
バッテリ固定金具１００のフック１２０を、底板２０２の切り欠き部２２０から脱抜する。
【００５９】
（ステップＳ６４０）
バッテリ３００を取り外す。必要に応じてバッテリ３００及び周辺回路等のメンテナンスや更新を遂行し、バッテリ３００を交換してもよい。バッテリ３００の取り外し作業や取り付け作業は、比較的狭い作業空間や比較的小さな電子装置においても、スムースかつ容易に行える。
【００６０】
バッテリは使用環境や周囲温度や経年変化等によって膨張したり収縮したりしてその形状や大きさが多少変わることが知られているが、従来のバッテリ固定金具は、バッテリの大きさ等の変化に対応していなかった。
【００６１】
このため、バッテリの形状や大きさが変化しようとする場合に、バッテリ固定金具の固定箇所においてのみ強固に締め付けられて、しわよせを受けた他の箇所において過剰に応力がかかり膨張等してバッテリがいびつに歪み、バッテリ本来の性能を全うさせる上で好ましくない状態が生じる懸念があった。
【００６２】
本実施形態のバッテリ固定金具１００は、このような問題点を解決するだけでなく、極めて容易な取り付け作業等を可能にする。また、例えばゴム板等をバッテリと固定金具との間に挟んでこれを緩衝部材とする場合には、仮にゴム板が収縮したとしてもゴム板が占める空間容積を確保しておく必要がある。
【００６３】
しかし、バッテリ固定金具１００は、自身のメインフレーム内にバネ部材１３０を完全に収納可能であり、少なくとも内壁側（バッテリ３００側）には突出しないように収縮可能である。このため、バッテリ３００は、最大でメインフレームに当接するまで膨張が許容され、バネ部材１３０によって最大膨張寸法が制限されることがない。
【００６４】
そして、当該膨張した状態のいずれの寸法においてもバッテリ３００は、バネ部材１３０により適度な押圧力を受けて固定される。さらに、ゴム板部材のように弾性力が劣化することがない。
【００６５】
また、バッテリ３００が収縮した場合も、所定の範囲内でバネ部材１３０がバッテリ３００の収縮に対応して、常に押圧力を付与してこれを固定する。これにより、バッテリ３００は、膨張や収縮に拘わらず常に安定的に固定されることとなる。
【００６６】
また、バッテリ固定金具１００は、上面から下方へと手前側面から奥側へとの二つのベクトルによりバッテリ３００を背板２０１と底板２０２とで形成されるコーナー方向に押圧するので、極めて安定した固定が可能となる。
【００６７】
バッテリ３００は一個あたりの寸法が例えば１６７ｍｍ×１９９ｍｍ×１７２ｍｍであって重量が１６キログラム程度であってもよく、これを四つ組み合わせたバッテリ群として構成してもよい。
【００６８】
また、バッテリ３００の側面におけるバッテリ固定金具１００の本体フレームとの間隙は、３ミリメートルより大きくしてもよい。また、バッテリ３００の上面におけるバッテリ固定金具１００の本体フレームとの間隙は、３ミリメートルより小さくしてもよい。これにより、側面における膨張に対してさらに効果的に対応可能なバッテリ固定金具１００とできる。
【００６９】
また、バネ部材１３０の自然状態におけるバッテリ固定金具１００の本体フレーム内壁からの突出高さは、６〜７ｍｍ程度としてもよい。これにより、プラスマイナス２ｍｍ程度のバッテリ３００の膨張収縮に対して十分に対応可能なバッテリ固定金具１００とできる。
【００７０】
また、バッテリ固定金具１００は、ＳＵＳ３０４の板厚０．６ミリメートル乃至１．０ミリメートル程度の部材により形成し、これを一部くり抜いてバネ部材１３０を形成してもよい。
【産業上の利用可能性】
【００７１】
本発明は、バッテリを搭載する電子装置等一般に幅広く適用できる。
【符号の説明】
【００７２】
１００・・バッテリ固定金具、１１０・・凸部、１２０・・フック、１３０・・バネ部材、１４０・・ネジ穴、２００・・バッテリ配置台、２０１・・背板、２０２・・底板、２１０・・切り欠き孔、２２０・・切り欠き部、２４０・・ネジ穴。
【図１】
0005682950.tif 000002
【図２】
0005682950.tif 000003
【図３】
0005682950.tif 000004
【図４】
0005682950.tif 000005
【図５】
0005682950.tif 000006
【図６】
0005682950.tif 000007
【図７】
0005682950.tif 000008
【図８】
0005682950.tif 000009